【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
内側表面領域を画定する底部及び少なくとも１つの側壁を有する容器又はハウジングと、
異なる視覚的デザインを有する複数の交換可能な装飾オーナメントアセンブリと、
を備える装飾システムであって、
前記装飾オーナメントアセンブリの各々はユニークな環境テーマを形成し、前記アセンブリの各々は、ベース部及び一つ又は複数の装飾エレメントを有し、
前記ベース部は、底部及び外周部を有し、前記ベース部は、固体構造体を形成し、当該固体構造体の所定の位置に前記一つ又は複数の装飾エレメントが永続的に取り付けられ、かつ別体の支持構造体の補助なしに前記固体構造体から上方へと延在し、
少なくとも１つの前記装飾エレメントは、前記ベース部の前記外周部から離間して配置されており、前記ベース部の前記底部は前記ハウジングの前記底部の前記内側表面領域と同じ大きさ及び形状を有し、
前記ハウジングの前記底部の内側表面領域が前記オーナメントアセンブリの各々の前記ベース部の前記底部によって全体的に覆われるように、各々の前記装飾オーナメントアセンブリが選択的にかつ独立して前記ハウジング内に受容され、
選択されたオーナメントアセンブリが前記ハウジング内に配置されたときに、前記オーナメントアセンブリの前記ベース部の前記外周部が前記ハウジングの前記少なくとも１つの側壁と当接し、
前記装飾オーナメントアセンブリの各々は、前記ハウジングから前記オーナメントアセンブリを持ち上げるため前記ベース部の外周部から離間して配置された前記少なくとも１つの前記装飾エレメントを掴むことによって選択的に前記ハウジングから取り除かれるように構造的に設計されている、ことを特徴とする装飾システム。
【請求項２】
各々のオーナメントアセンブリの前記ベース部は、固定構造体を形成するように互いに結合された砂利、砂、大理石、石、岩、紙、プラスチック及びこれらの複製品の少なくとも１つから形成されている、ことを特徴とする請求項１に記載のシステム。
【請求項３】
前記装飾エレメントは、植物、岩、船、宝箱、彫像、看板及び城の少なくとも１つである、ことを特徴とする請求項１に記載のシステム。
【請求項４】
前記ハウジングの前記底部の内側表面領域は、２つ以上のベース部により全体的に覆われる、ことを特徴とする請求項１に記載のシステム。
【請求項５】
前記ベース部の前記外周部は、輪郭を形成しており、少なくとも１つの傾斜面を有する、ことを特徴とする請求項１に記載のシステム。
【請求項６】
前記ベース部を互いに固定するための固定具及びヒンジシステムの少なくとも一方をさらに備える、ことを特徴とする請求項４に記載のシステム。
【請求項７】
少なくとも１つの前記装飾オーナメントアセンブリは一塊の構成を有している、ことを特徴とする請求項１に記載のシステム。
【請求項８】
内側表面領域を画定する底部及び少なくとも１つの側壁を有する容器又はハウジングと、
特定の視覚的デザインを有する交換可能な装飾オーナメントアセンブリと、
を備える装飾システムであって、
前記装飾オーナメントアセンブリは、ユニークな環境テーマを形成し、前記アセンブリはベース部及び一つ又は複数の装飾エレメントを有し、
前記ベース部は底部及び外周部を有し、前記ベース部は固体構造体を形成し、当該固体構造体の所定の位置に前記一つ又は複数の装飾エレメントが永続的に取り付けられ、かつ別体の支持構造体の補助なしに前記固体構造体から上方へと延在し、
少なくとも１つの前記装飾エレメントは、前記ハウジングの前記外周部から離間して配置されており、
前記ベース部の前記底部は前記ハウジングの前記底部の内側表面領域と同じ大きさ及び形状を有し、
前記ハウジングの前記底部の内側表面領域が前記オーナメントアセンブリの前記ベース部の前記底部によって全体的に覆われるように、前記装飾オーナメントアセンブリが選択的にかつ独立して前記ハウジング内に受容され、
選択されたオーナメントアセンブリが前記ハウジング内に配置されたときに、前記オーナメントアセンブリの前記ベース部の前記外周部が前記少なくとも１つの側壁の前記ハウジングに当接し、
前記装飾オーナメントアセンブリは、前記ハウジングから前記オーナメントアセンブリを持ち上げるため前記ベース部の外周部から離間して配置された前記少なくとも１つの前記装飾エレメントを掴むことによって前記ハウジングから選択的に取り除かれるように構造的に設計されている、ことを特徴とする装飾システム。
【請求項９】
各々のオーナメントアセンブリの前記ベース部は、固定構造体を形成するように互いに結合された砂利、砂、大理石、石、岩、紙、プラスチック及びこれらの複製品の少なくとも１つから形成されている、ことを特徴とする請求項８に記載のシステム。
【請求項１０】
前記装飾エレメントは、植物、岩、船、宝箱、彫像、看板及び城の少なくとも１つである、ことを特徴とする請求項８に記載のシステム。
【請求項１１】
前記ハウジングの前記底部の内側表面領域は、２つ以上のベース部により全体的に覆われる、ことを特徴とする請求項８に記載のシステム。
【請求項１２】
前記ベース部の前記外周部は、輪郭を形成しており、少なくとも１つの傾斜面を有する、ことを特徴とする請求項８に記載のシステム。
【請求項１３】
前記装飾オーナメントアセンブリは一塊の構造を有する、ことを特徴とする請求項８に記載のシステム。
【請求項１４】
ハウジングを再装飾する方法であって、当該ハウジングは、内側表面領域を画定する底部と、少なくとも１つの側壁と、を有し、
前記方法は、
第１の視覚的デザインを有する第１の装飾オーナメントアセンブリにアクセスするステップであって、前記アセンブリは、第１のユニークな環境テーマを形成するとともに、ベース部及び一つ又は複数の装飾エレメントを有し、前記ベース部は、底部及び外周部を有し、前記ベース部は固定構造体を形成し、当該固体構造体の所定の位置に前記一つ又は複数の装飾エレメントが永続的に取り付けられ、かつ別体の支持構造体の補助なしに前記固体構造体から上方へと延在し、少なくとも１つの前記装飾エレメントは、前記ベース部の前記外周部から離間して配置されており、前記ベース部の前記底部は前記ハウジングの前記底部の内側表面領域と同じ大きさ及び形状を有し、前記ハウジングの前記底部の内側表面領域が前記第１のオーナメントアセンブリの前記ベース部の前記底部によって全体的に覆われるように、前記第１のオーナメントアセンブリが前記ハウジング内に配置され、前記第１のオーナメントアセンブリの前記ベース部の前記外周部が前記ハウジングの前記少なくとも１つの側壁に対してスライド可能に当接する、第１の装飾オーナメントアセンブリにアクセスするステップと、
前記オーナメントアセンブリを持ち上げるため前記ベース部の外周部から離間して配置された前記少なくとも１つの前記装飾エレメントを掴むことによって前記ハウジングから前記オーナメントアセンブリを取り除くステップと、
前記第１のオーナメントアセンブリの視覚的デザインと異なる第２の視覚的デザインを有する第２の装飾オーナメントアセンブリを選択するステップであって、前記第２のオーナメントアセンブリは、第２のユニークな環境テーマを形成するとともに、ベース部及び一つ又は複数の装飾エレメントを有し、前記ベース部は、底部及び外周部を有し、前記第２のオーナメントアセンブリの前記ベース部は固体構造体を形成し、当該固体構造体の所定の位置に前記一つ又は複数の装飾エレメントが永続的に取り付けられ、かつ別体の支持構造体の補助なしに前記固体構造体から上方へと延在し、少なくとも１つの前記装飾エレメントは、前記ベース部の前記外周部から離間して配置されており、前記第２のオーナメントアセンブリの前記ベース部の前記底部が前記ハウジングの前記底部の内側表面領域と同じ大きさ及び形状を有する、第２の装飾オーナメントアセンブリを選択するステップと、
前記ハウジングの前記底部の内側表面領域が前記第２のオーナメントアセンブリの前記ベース部の前記底部によって全体的に覆われるように前記ハウジングに前記第２のオーナメントアセンブリを挿入するステップであって、前記第２のオーナメントアセンブリの前記ベース部の前記外周部が前記ハウジングの前記少なくとも１つの側壁に対してスライド可能に当接する、前記ハウジングに前記第２のオーナメントアセンブリを挿入するステップと、
を含む、方法。
【請求項１５】
魚用タンクを装飾及び清掃する方法であって、当該タンクは、水及び一つ又は複数の魚を受容するハウジングにより画定され、当該ハウジングは、内側表面領域を有する底部と、少なくとも１つの側壁と、を有し、
前記方法は、
第１のユニークな視覚的デザインを有する第１の装飾オーナメントアセンブリにアクセスするステップであって、前記アセンブリはユニークな環境テーマを形成するとともに、ベース部及び一つ又は複数の装飾エレメントを有し、前記ベース部は底部及び外周部を有し、前記ベース部は固体構造体を形成し、当該固体構造体の所定の位置に前記一つ又は複数の装飾エレメントが永続的に取り付けられ、かつ別体の支持構造体の補助なしに前記固体構造体から上方へと延在し、少なくとも１つの前記装飾エレメントは、前記ベース部の前記外周部から離間して配置されており、前記ベース部の前記底部が前記ハウジングの前記底部の内側表面領域と同じ大きさ及び形状を有し、前記ハウジングの前記底部の内側表面領域が前記第１のオーナメントアセンブリの前記ベース部の前記底部によって全体的に覆われるように、前記第１のオーナメントアセンブリが前記ハウジング内に配置され、前記第１のオーナメントアセンブリの前記ベース部の前記外周部が前記ハウジングの前記少なくとも１つの側壁に対してスライド可能に当接する、第１の装飾オーナメントアセンブリにアクセスするステップと、
前記ハウジングから前記一つ又は複数の魚を取り除くステップと、
前記オーナメントアセンブリを持ち上げるために前記ベース部の外周部から離間して配置された前記少なくとも１つの前記装飾エレメントを掴むことによって前記ハウジングから前記オーナメントアセンブリを取り除くステップと、
前記ハウジングから水を取り除くステップと、
前記魚用タンクを清掃するステップと、
を含む、方法。
【請求項１６】
前記第１のオーナメントアセンブリのデザインと異なる第２のデザインを有する第２の装飾オーナメントアセンブリを選択するステップであって、前記第２のオーナメントアセンブリは、ユニークな環境テーマを形成するとともに、ベース部及び一つ又は複数の装飾エレメントを有し、前記ベース部は、底部及び外周部を有し、前記第２のオーナメントアセンブリの前記ベース部は固体構造体を形成し、当該固体構造体の所定の位置に前記一つ又は複数の装飾エレメントが永続的に取り付けられ、かつ別体の支持構造体の補助なしに前記固体構造体から上方へと延在し、少なくとも１つの前記装飾エレメントは、前記ベース部の前記外周部から離間して配置されており、前記第２のオーナメントアセンブリの前記ベース部の前記底部が前記ハウジングの前記底部の内側表面領域と同じ大きさ及び形状を有する、第２の装飾オーナメントアセンブリを選択するステップと、
前記ハウジングの前記底部の内側表面領域が前記第２のオーナメントアセンブリの前記ベース部の前記底部によって全体的に覆われるように前記ハウジングに前記第２のオーナメントアセンブリを挿入するステップであって、前記第２のオーナメントアセンブリの前記ベース部の前記外周部が前記ハウジングの前記少なくとも１つの側壁に対してスライド可能に当接する、前記ハウジングに前記第２のオーナメントアセンブリを挿入するステップと、
前記ハウジングに水を加えるステップと、
前記ハウジングに前記一つ又は複数の魚を戻すステップと、
をさらに含む、請求項１５に記載の方法。
【請求項１７】
前記ハウジングから取り除いた後、前記第１のオーナメントアセンブリを清掃するステップと、
前記ハウジングの前記底部の前記内側表面領域が前記第１のオーナメントアセンブリの前記ベース部の前記底部によって全体的に覆われるように、前記第１のオーナメントアセンブリを前記ハウジングに戻すように挿入するステップであって、前記第１のオーナメントアセンブリの前記ベース部の前記外周部が前記ハウジングの前記少なくとも１つの側壁に対してスライド可能に当接する、前記第１のオーナメントアセンブリを前記ハウジングに戻すように挿入するステップと、
前記ハウジングに水を加えるステップと、
前記ハウジングに前記一つ又は複数の魚を戻すステップと、
をさらに含む、請求項１５に記載の方法。
【手続補正２】
【補正対象書類名】明細書
【補正対象項目名】００１７
【補正方法】変更
【補正の内容】
【００１７】
【図１Ａ】図１Ａは、本発明の第１の実施例に係る装飾オーナメントアセンブリの概略正面図である。
【図１Ｂ】図１Ｂは、ハウジング内に配置された、図１Ａの装飾オーナメントアセンブリの概略正面図である。
【図２Ａ】図２Ａは、本発明の第２の実施例に係る装飾オーナメントアセンブリの概略正面図である。
【図２Ｂ】図２Ｂは、ハウジング内に配置された、図２Ａの装飾オーナメントアセンブリの概略正面図である。
【図３】図３は、ハウジング内に配置された本発明の第３の実施例に係る装飾オーナメントアセンブリの概略正面図である。
【図４】図４は、本発明の第４の実施例に係る本発明の装飾オーナメントアセンブリの概略正面図である。
【図５Ａ】図５Ａは、本発明の第５の実施例に係る装飾オーナメントアセンブリの概略正面図である。
【図５Ｂ】図５Ｂは、本発明の第６の実施例に係る装飾オーナメントアセンブリの概略正面図である。
【図６】図６は、公知の水槽の形状を示す正面図である。
【図７】図７は、図６の水槽内に配置された装飾オーナメントアセンブリの概略図である。
【図８】図８は、ハウジング内に配置された第７の実施例に係る装飾オーナメントアセンブリの概略図である。
【図９】図９は、内側表面領域の一部に沿った輪郭形状を有する装飾オーナメントアセンブリを受容する他の公知のハウジングである。
【図１０】図１０は、図９のハウジング内に配置された本発明の第８の実施例に係る装飾オーナメントアセンブリの概略図である。
【手続補正３】
【補正対象書類名】明細書
【補正対象項目名】００２４
【補正方法】変更
【補正の内容】
【００２４】
図１Ｂは、ハウジング（例えば、ガラス容器、ガラスタンク、花瓶又は他の材料からなる容器）内に配置された本発明の第１の実施例である装飾オーナメントアセンブリの概略正面図である。図１Ｂに示すように、装飾オーナメントアセンブリ１００のベース部１１０は、ハウジング１３０の底部の内側面の寸法に合致する深さ及び幅を有する。ハウジング１３０が水槽である場合、ユーザは、容器に水及び魚を入れて水槽のセットアップを完成させる。
【手続補正４】
【補正対象書類名】明細書
【補正対象項目名】００３９
【補正方法】変更
【補正の内容】
【００３９】
本発明の装飾オーナメントアセンブリは、意図する使用用途及び様式に応じて異なる形状、幅、深さ、及び高さを有していてもよい。例えば、公知のハウジング６００（図６参照）とともに使用するために設計された図７に示す装飾オーナメントアセンブリ７００のベース部７０４は、ハウジング６００の底部に向けてテーパ状をなすように傾斜した輪郭を有する側壁７０６を含む。図７に示す装飾エレメント７０２に替えて従来の装飾エレメントを使用した場合、図６，７に示したようなハウジングの清掃は、非常に時間がかかり、装飾エレメントの大幅な再配置や交換が必要になる。
【手続補正５】
【補正対象書類名】明細書
【補正対象項目名】００４１
【補正方法】変更
【補正の内容】
【００４１】
図９は、他の公知のハウジング９００を示している。ハウジング９００は、第１の半円形つまりドーム形状部９０２及び第２の半円形つまりドーム形状部９０４を有している。第１の半円形つまりドーム形状部９０２は、第１のリム９０８を有し、第２の半円形つまりドーム形状部９０４は、第２のリム９０６を有している。第２のリム９０６は、第１の半円形つまりドーム形状部９０２の第１のリム９０８と接触し、第１のリム９０８の周囲でシールされる。容器９００はベース部９１０上に位置するように図示されているが、容器９００を壁などに掛けてもよいし、かつ／又はベース部を設けなくてもよい。
【手続補正６】
【補正対象書類名】図面
【補正対象項目名】図９
【補正方法】変更
【補正の内容】
【図９】
2020512012.tif 000001
【手続補正７】
【補正対象書類名】図面
【補正対象項目名】図１０
【補正方法】変更
【補正の内容】
【図１０】
2020512012.tif 000002